(57)【要約】【解決手段】端末と、端末をアイドルモードで動作させて、無線ネットワークのアクセスノードからのシグナリングを検出するための方法であって、前記アクセスノードから構成を受信し、不連続受信ＤＲＸ周期に関連付けられたページング時点およびウェイクアップ信号時点を識別することと、前記アクセスノードから情報を受信し、タイムアドバンス持続時間を識別することと、各ページング時点に先立って、前記タイムアドバンス持続時間の間、前記端末における無線信号受信機を起動することと、を含む方法。【選択図】図４Ｂ
2021524177.tif 000002
【特許請求の範囲】
【請求項１】
端末をアイドルモードで動作させて、無線ネットワークのアクセスノードからのシグナリングを検出するための方法であって、
前記アクセスノードから構成を受信し、不連続受信ＤＲＸ周期に関連付けられたページング時点およびウェイクアップ信号ＷＵＳ時点を識別することと、
前記アクセスノードから情報を受信し、タイムアドバンス持続時間を識別することと、
各ページング時点に先立って、前記タイムアドバンス持続時間の間、前記端末内の無線信号受信機を起動させることと、
前記タイムアドバンス持続時間内において、同期信号を検出することと、を含む方法。
【請求項２】
前記同期信号は、前記端末のページング時点においてＷＵＳまたは制御チャネルを検出するために使用できる、請求項１に記載の方法。
【請求項３】
前記タイムアドバンス持続時間内において、ＷＵＳを検出することと、
前記タイムアドバンス持続時間に続くページング時点において、ページングメッセージを検出することと、を含む、請求項１に記載の方法。
【請求項４】
端末の能力を前記無線ネットワークに送信し、前記端末にＷＵＳ検出用の個別の受信機が含まれるかどうかを示すことを含む、請求項１〜３の何れかに記載の方法。
【請求項５】
無線ネットワークのアクセスノードからアイドルモードにある端末に信号を送るための方法であって、
不連続受信ＤＲＸ周期を有する端末の反復ページング時点を決定することと、
前記ページング時点に関連付けられたウェイクアップ信号ＷＵＳ時点を決定することと、
前記端末内のページング時点において前記ＷＵＳまたは制御チャネルの検出を支援するために使用可能な同期信号を送信することと、を含み、
前記同期信号は、前記ＤＲＸ周期に関連付けられた送信周期で反復送信される、方法。
【請求項６】
前記同期信号の送信周期は、前記ＤＲＸ周期よりも小さい、請求項５に記載の方法。
【請求項７】
前記送信周期は前記ＤＲＸ周期の分数１／ｋであり、ここでのｋは整数である請求項５に記載の方法。
【請求項８】
同期信号の決定された必要な端末受信に応じて、ページング時点に先行するタイムアドバンス期間を決定することを含む、請求項５〜７の何れかに記載の方法。
【請求項９】
前記同期信号の決定された必要な端末受信は、前記同期信号の送信周期および持続時間に関連付けられている、請求項８に記載の方法。
【請求項１０】
前記タイムアドバンス持続時間は、同期信号の決定された必要な端末受信に関連付けられた期間と、ＷＵＳの決定された持続時間との合計を含む、請求項８または９に記載の方法。
【請求項１１】
前記タイムアドバンス期間は、動作状態を変更するための端末時間に関連付けられた遷移時間の合計をさらに含む、請求項１０に記載の方法。
【請求項１２】
端末受信のためのシステム情報を送信し、前記タイムアドバンス持続時間を識別することを含む、請求項５〜１１の何れかに記載の方法。
【発明の詳細な説明】
【技術分野】
【０００１】
本開示は、アクセスネットワークおよび１つまたは複数の無線端末を備えた、無線通信システムにおける方法および装置に関する。具体的には、アクセスネットワークのアクセスノードからアイドルモードにある端末にシグナル伝達することに関するソリューションが提供され、ここでの端末は、不連続受信下でのページング時点を検出するように設定される。
【背景技術】
【０００２】
無線通信システム、例えば第３世代パートナーシッププロジェクト（3rd  Generation  Partnership  Project：３ＧＰＰ）を通じて提供されるさまざまな世代では、無線端末とネットワークノードの間の無線インターフェース、および種々のレベルのネットワーク動作の両方を設定および操作するための、共通ルールを設定する種々の仕様が提供されている。３ＧＰＰの文書において端末は一般にユーザー機器（User  Equipment：ＵＥ）と呼ばれるが、ここでは一般に端末と呼ぶ。そのような端末は、セル内にある端末への無線アクセスを提供するように動作する１つまたは複数のネットワークノードを含む無線アクセスネットワークＲＡＮによって、コアネットワークに接続可能である。そのようなネットワークノードは、アクセスノードまたは基地局と呼ばれることもあり、異なるタイプのシステムまたは仕様について、３ＧＰＰではさまざまな用語が使用されている。ロングタームエボリューション（Long-Term  Evolution：ＬＴＥ）とも呼ばれるいわゆる４Ｇ仕様では、ネットワークノードを表すためにｅノードＢ（eNodeB：ｅＮＢ）の用語が使用される。
【０００３】
４Ｇ通信システムの実装および使用が成功した後に、改良された５Ｇ通信システムまたはプレ５Ｇ通信システムを開発するための努力が行われてきた。このため、５Ｇ通信システムまたはプレ５Ｇ通信システムは、４Ｇネットワークを超える通信システムと呼ばれ、新無線（New  Radio：ＮＲ）とも呼ばれる。５Ｇ無線アクセスネットワークで動作するように構成されたネットワークノードは、ｇＮＢと呼ばれる場合もある。
【０００４】
マシンタイプ通信の技術仕様およびフレームワークの導入により、今後数年間で端末数は急増すると予想される。３ＧＰＰは、リリース１３において、２つの補完的な狭帯域ＬＴＥ−ＩｏＴ技術を既に導入している。すなわち、ｅＭＴＣ（Enhanced  Machine-Type  Communication：拡張型マシンタイプ通信）およびＮＢ−ＩｏＴ（Narrowband  Internet  Of  Things：狭帯域モノのインターネット）である。両者とも、通常のモバイルブロードバンドなどの他のＬＴＥサービスとシームレスに共存しながら、複雑さ／電力の削減、カバレッジの拡大、装置密度の向上のために最適化される。
【０００５】
２つの新しい信号、すなわち、拡張型同期信号（Enhanced  Synchronization  Signal：ｅＳＳ）およびウェイクアップ信号（Wake-Up  Signal：ＷＵＳ）が、ＵＥの全エネルギーコストを低減する目的で、進行中の３ＧＰＰのｒｅｌ．１５においてＭＴＣに導入されることが合意された。拡張型同期信号の最初のサブフレームの周期性は、１６０、３２０、６４０、および１２８０ｍｓに設定できる。あるいは、拡張型同期信号は、再同期信号（Resynchronization  Signal：ＲＳＳ）として示され得る。ＷＵＳは、物理データ制御チャネル（Physical  Data  Control  Channel：ＭＰＤＣＣＨ）のページングインジケータの前に送信されることが予想され、ＵＥは、ＵＥに関連する特定の情報を運ぶＷＵＳを検出した場合にのみ、制御チャネルおよび後続のデータ共有チャネルをデコードする。ｅＳＳの利用はネットワークによって制御され、その使用は、セル固有のブロードキャスト情報を介してＵＥに通知される。セル内においてｅＳＳをアクティブ化することは必須ではなく、そのような場合、ＵＥは他の手段で、例えばＬＴＥにおける既存の１次および２次同期信号（Primary  and  Secondary  Synchronization  Signals：ＰＳＳ／ＳＳＳ）および共通参照信号（Common  Reference  Signal：ＣＲＳ）のような他の参照信号を介して、同期を実行する必要がある。ＷＵＳで利用可能な構造および情報によっては、ＷＵＳの検出を介してネットワークとの同期を実行する可能性もある。ＷＵＳは、「ｅＳＳ様の」信号として構築できる。
【０００６】
ＷＵＳを検出するために、さまざまな端末が別個の低電力受信機と共に構成され得ることが想定される。このように、メイン無線受信機は、ＷＵＳが検出された後にのみアクティブ化されればよい。追加された受信機はメイン受信機よりも消費電力が少なくなるように構成されるので、この目的は消費電力を削減することである。本明細書では、例えば、ページング時点ＰＯの際に制御信号または制御チャネルを検出するために使用されるメイン無線受信機が、ＷＵＳ検出にも使用される端末はＣｏｎｆｉｇ．１と呼ばれるのに対して、ＷＵＳ検出のための低電力受信機を備えた端末はＣｏｎｆｉｇ．２と呼ばれる。このＵＥ受信機の構成に応じて、同期の目的で使用されるｅＳＳのデコード化は、図１に示すように、ＷＵＳ検出の前または後で実行するのにより適している。メイン受信機がＷＵＳ検出のために使用されるならば（Ｃｏｎｆｉｇ．１）、ＵＥは先ず、新たに導入された信号ｅＳＳをデコード化して同期を得るよう、かつＷＵＳをデコード化／検出できるようにして、ＷＵＳが検出された場合には、続いてページング時点（Paging  Occasion：ＰＯ）におけるページング表示をデコード化できるようにする必要がある。これを図１Ａに示す。別の低電力受信機がＷＵＳ検出のために使用されるならば（Ｃｏｎｆｉｇ．２）、ＵＥは、ＰＯにおける制御チャネルおよびメッセージ交換の更なる検出のために、ＷＵＳが検出された場合にのみ、ｅＳＳをデコード化する必要がある。これを図１Ｂに示す。
【０００７】
ｅＳＳの周期性、ｅＳＳおよびＷＵＳの持続時間、ならびにｅＳＳ、ＷＵＳおよびＰＯの間の持続時間に応じて、ＵＥにおいて実現可能なエネルギー節減の量は異なる。
【０００８】
例−１：Ｃｏｎｆｉｇ．１におけるタイムギャップＴｇａｐ１が大きい場合、ＵＥの回路の幾つかの部分、例えばチャネルエスティメータなどを、ＵＥとセルとの同期を維持するためにオンのままにする必要がある。その結果、これは余分なエネルギーコストにつながる。他方、Ｃｏｎｆｉｇ．２においては、Ｔｇａｐ１＿ＬＰが短すぎてｅＳＳが長い（またはＴｇａｐ３＿ＬＰが小さすぎる）と、ＵＥは、ＷＵＳを受信した後にウェイクアップするための十分な時間がないため、ＷＵＳ動作の機能が低下する可能性がある。
【０００９】
例−２：Ｃｏｎｆｉｇ．１の場合、セル内の異なるＵＥが同じ不連続受信（Discontinuous  Reception：ＤＲＸ）サイクルに従うが、異なるＰＯを有すると仮定する。ｅＳＳの周期性を１つの特定の値に構成することは、図２の上部に示される１つのＵＥ１にとっては有益であり得るが、別のＵＥ２では余分なエネルギーにつながる可能性がある。これは、図２の下部に示されており、ここでは、Ｔｇａｐ３がＵＥ２について非常に長くなる。
【発明の概要】
【発明が解決しようとする課題】
【００１０】
結局のところ、ＤＲＸで動作し、かつＷＵＳを使用してページングを開始する端末に関連して、シグナリングの構成を改善する必要性が依然として存在する。したがって、ＰＯ、ｅＳＳ、およびＷＵＳの間での時間関係を考慮して、これらのタイプのシグナリングを使用する場合は可能な限り高いエネルギー節約を実現することが提案される。提案された解決策は、独立請求項に記載されている。さまざまな実施形態が、従属請求項に記載されている。
【００１１】
第１の態様によれば、端末をアイドルモードで動作させて、無線ネットワークのアクセスノードからのシグナリングを検出するための方法であって、
前記アクセスノードから構成を受信し、不連続受信ＤＲＸ周期に関連付けられたページング時点およびウェイクアップ信号時点を識別することと、
前記アクセスノードから情報を受信し、タイムアドバンス持続時間を識別することと、
各ページング時点に先立って、前記タイムアドバンス持続時間の間、前記端末内の無線信号受信機を起動することと、を含む方法が提供される。
【００１２】
一実施形態において、前記方法は、
前記タイムアドバンス持続時間内において、同期信号およびウェイクアップ信号を検出することと、
前記タイムアドバンス持続時間に続くページング時点において、ページングメッセージを検出することと、を含む。
【００１３】
一実施形態において、前記方法は、
端末の能力を前記無線ネットワークに送信し、前記端末にＷＵＳ検出用の個別の受信機が含まれるかどうかを示すことを含む。
【００１４】
第２の態様によれば、無線ネットワークのアクセスノードからアイドルモードにある端末に信号を送るための方法であって、
不連続受信ＤＲＸ周期を有する端末の反復ページング時点を決定することと、
前記ページング時点に関連付けられたウェイクアップ信号ＷＵＳ時点を決定することと、
前記端末内におけるページング時点において前記ＷＵＳまたは制御チャネルの検出を支援するために使用可能な同期信号を送信することと、を含み、
前記同期信号は、前記ＤＲＸ周期に関連付けられた送信周期で反復送信される、方法が提供される。
【００１５】
一実施形態において、前記送信周期は前記ＤＲＸ周期の分数１／ｋであり、ここでのｋは整数である。
【００１６】
一実施形態において、前記方法は、
同期信号の決定された必要な端末受信に応じて、ページング時点に先行するタイムアドバンス持続時間を決定することを含む。
【００１７】
一実施形態において、前記同期信号の決定された必要な端末受信は、前記同期信号の送信周期および持続時間に関連付けられている。
【００１８】
一実施形態において、前記タイムアドバンス期間は、同期信号の決定された必要な端末受信に関連付けられた期間と、ＷＵＳの決定された期間との合計を含む。
【００１９】
一実施形態において、前記タイムアドバンス持続時間は、動作状態を変更するための端末時間に関連付けられた遷移時間の合計をさらに含む。
【００２０】
一実施形態において、前記方法は、
端末受信のためのシステム情報を送信し、前記タイムアドバンス期間を識別することを含む。
【図面の簡単な説明】
【００２１】
図面を参照して以下のとおりさまざまな実施形態を説明する。
【００２２】
【図１Ａ】図１Ａは、メイン受信機がウェイクアップ信号受信およびページング信号受信の両方のために動作する構成による、同期信号送信ならびにページングおよびウェイクアップの時点を示す。
【図１Ｂ】図１Ｂは、別の受信機がウェイクアップ信号受信のために動作し、メイン受信機がページング信号受信のために動作する構成による、同期信号送信ならびにページングおよびウェイクアップの時点を示す。
【図２】図２は、ＤＲＸサイクルを共有しているがページング時点は異なる、２つの端末の同期信号の送信ならびにページングおよびウェイクアップの時点を示す。
【図３Ａ】図３Ａは、メイン受信機がウェイクアップ信号受信およびページング信号受信の両方のために動作する構成による、ページング時点に先立つタイムアドバンス期間の定義を示す。
【図３Ｂ】図３Ｂは、別の受信機がウェイクアップ信号受信のために動作し、メイン受信機がページング信号受信のために動作する設定による、ページング時点に先立つタイムアドバンス期間の定義を示す。
【図４Ａ】図４Ａは、同期信号送信がＤＲＸ周期の半分の期間で提供される、ページング時点に先立つタイムアドバンス期間を示す。
【図４Ｂ】図４Ｂは、同期信号送信がＤＲＸ周期の期間の４分の１の期間で提供される、ページング時点に先立つタイムアドバンス期間を示す。
【図５】図５は、さまざまな実施形態に従って構成された端末に含まれる要素を概略的に示す。
【図６】図６は、さまざまな実施形態に従って構成されたアクセスノードに含まれる要素を概略的に示す。
【発明を実施するための形態】
【００２３】
以下、本発明の実施形態が示された添付の図面を参照して、本発明をより完全に説明する。しかしながら、本発明は多くの異なる形態で具体化し得るものであり、本明細書に記載の実施形態に限定されると解釈されるべきではなく、むしろ、これらの実施形態は本開示が十分かつ完全であるように、かつ本発明の範囲を当業者に十分に伝えるように提供されるものである。
【００２４】
ある要素が別の要素に「接続されている」と呼ばれる場合、それは他の要素に直接接続でき、または介在する要素が存在し得ることが理解されるであろう。対照的に、ある要素が別の要素に「直接接続されている」と呼ばれる場合は、介在する要素は存在しない。同様の番号は、全体を通して同様の要素を指称する。さらに、本明細書では、さまざまな要素を記載するために第１、第２などの用語が使用され得るが、これら要素は、これらの用語によって限定されるべきでないことが理解されるであろう。これらの用語は、ある要素を別の要素と区別するためにのみ使用される。例えば、本発明の範囲から逸脱することなく、第１の要素を第２の要素と呼ぶことができ、同様に、第２の要素を第１の要素と呼ぶことができる。本明細書で使用される場合、「および／または」の用語は、関連して列挙された項目の１つまたは複数のあらゆるすべての組み合わせを含むものである。
【００２５】
周知の機能または構造は、簡潔さおよび／または明確さのために、詳細には説明されない場合がある。別段の定義がない限り、本明細書で使用されるすべての用語（技術用語および科学用語を含む）は、本発明が属する技術の当業者によって一般に理解されるのと同じ意味を有する。さらに、一般的に使用される辞書において定義されているような用語は、本明細書および関連技術の文脈におけるそれらの意味と一致する意味を有すると解釈されるべきであり、理想化された、または本明細書で明示的に定義されている過度に形式的な意味には解釈されないであろうことが理解される。
【００２６】
本発明の実施形態は、本明細書では、本発明の理想化された実施形態の概略図を参照して記載されている。したがって、例えば、製造技術および／または公差の結果として、図の形状および相対的な寸法からの変動が予想されるべきである。こうして、本発明の実施形態は、本明細書に示される領域の特定の形状および相対的寸法に限定されると解釈されるべきではなく、例えば、異なる操作上の制約および／または製造上の制約から生じる形状および／または相対的寸法の偏差をも含むべきである。したがって、図に示された要素は本質的に概略的なものであり、それらの形状は、装置の領域の実際の形状を説明することを意図しておらず、本発明の範囲を制限することを意図するものではない。
【００２７】
本明細書では、マシンタイプ通信用の３ＧＰＰ無線通信システムで用いるために一般に適したさまざまな実施形態が概説されるが、ページングの開始に使用可能なウェイクアップ信号で動作する如何なるタイプの無線通信システムも、提案された解決策を使用することができる。このため、端末またはＵＥという用語は、一般に、例えば、アクセスネットワークとの無線通信によって接続可能な無線装置を示すために使用され、またアクセスノードまたは基地局の用語は、特定のセルまたはカバレッジエリア内の端末への無線アクセスを提供するように構成されたアクセスネットワークのノードを示すために使用される。
【００２８】
大まかに言えば、無線ネットワークのアクセスノードからアイドルモードにある端末に信号を送るためのソリューションが提供され、ここでの端末は不連続受信（ＤＲＸ）で動作するように構成され、またＤＲＸサイクルのページング時点（ＰＯ）でページングが予定されている場合は、ネットワーク端末からのウェイクアップ信号（ＷＵＳ）に反応し得る。より詳細に言えば、この提案は、同期信号、例えば端末におけるページング時点においてＷＵＳまたは制御チャネルを検出するために使用できるｅＳＳ、ＷＵＳ、およびＰＯの間の時間関係を制御するために、３ＧＰＰ仕様に新しい機能を追加することである。これには、ＤＲＸ周期またはサイクルに関連付けられた送信周期で、同期信号を反復送信することが含まれる。
【００２９】
さまざまな実施形態において、ｅＳＳの周期性は、ＰＯサイクルまたはＤＲＸ持続時間の関数であり、例えば、ｅＳＳ周期性はＰＯサイクルの倍数、言い換えれば、ＤＲＸ持続時間の一部である。さまざまな実施形態において、反復される同期信号の送信周期は、ＤＲＸ周期の分数１／ｋであり、ここでのｋは整数、例えば、ｋ＝１、２、３、…、ｎである。換言すれば、ＤＲＸ周期ごとにｋｅＳＳ周期が存在する。さまざまな実施形態において、３ＧＰＰ仕様は、セル固有のＤＲＸ持続時間の関数であるｅＳＳ周期性の上限を含み得ることが提案されている。一実施形態において、同期信号ｅＳＳの送信周期は、ＤＲＸ周期に等しいか、またはそれよりも短い。このようにして、この仕様は、ＵＥが少なくとも所与の期間、例えばＰＯに先立つページングサイクルの持続時間内に、ｅＳＳ送信を見つけ得ることを保証するであろう。
【００３０】
図３Ａおよび３Ｂは、さまざまな実施形態によるシグナリングの構成を示しており、ここではタイムアドバンス期間が定義されている。タイムアドバンスは、端末が受信をアクティブにする必要がある場合、ＵＥが潜在的なページングメッセージを受信してデコードする準備を完全に整えるように、ページングの前の期間を定義する。我々は、このタイムアドバンス期間Ｔａｄｖを制御するパラメータが、３ＧＰＰ技術仕様において指定できることを提案する。詳細に言えば、ｅＳＳ周期性およびＷＵＳタイミングのネットワーク構成が最小タイムアドバンス値Ｔａｄｖを保証することをＵＥが期待できる旨を記載するように、３ＧＰＰ仕様は制限を含み得る。
【００３１】
一実施形態において、タイムアドバンス持続時間Ｔａｄｖは、少なくとも最大ｅＳＳ長および最大ＷＵＳ長の合計を含む関数である。一実施形態において、Ｔａｄｖは、遷移時間Ｔｔｒも追加する関数であり得るものであり、ここでの遷移時間には、端末が１つの動作状態から別の動作状態に変化するのに必要な時間、すなわち、Ｔｇａｐｓが含まれる。さまざまな実施形態において、タイムアドバンス持続時間は、
【００３２】
【数１】
2021524177.tif 000003
【００３３】
によって与えられる。
【００３４】
ｅＳＳを検出するために必要な最大持続時間ｍａｘｌｅｎｇｔｈ（ＴｅＳＳ）は、例えば、アクセスノードによる特定のシナリオに基づいた、同期信号の決定された必要な端末受信に依存する値であり得る。これは、最悪の場合のシナリオでのように、そのアクセスノードがサービスを提供するセルの特定の標的カバレッジエリアに基づき得る。前記最大持続時間ｍａｘｌｅｎｇｔｈ（ＴｅＳＳ）は、少なくともｅＳＳの周期性に依存し、好ましくは各ｅＳＳ同期信号送信の持続時間にも依存する。ｅＳＳは、ｅＮＢによって定期的に送信される信号である。実装の観点からは、ＵＥが、必要とする数のｅＳＳを使用することに対する制限はない。ここでのｍａｘｌｅｎｇｔｈ（ＴｅＳＳ）は、ＵＥが消費電力を最小化すると予想される最大期間を指す。ＤＲＸ周期の整数の分数など、ＤＲＸ周期に関連付けられた送信周期でｅＳＳが反復される実施形態では、ｍａｘｌｅｎｇｔｈ（ＴｅＳＳ）もまた、ＤＲＸ周期性と相関している。最大持続時間ｍａｘ（Ｔｗｕｓ）は、端末に対してＳＩＢで構成され、ネットワークによってまたは仕様によって構成され得る。ｅＳＳが送信されない場合でも、例えば、セルがｅＳＳ送信を用いて構成されていない場合、例えば、ＵＥがＷＵＳおよび／またはＰＳＳ／ＳＳＳ、ＣＲＳなどの他のダウンリンク信号に基づいて同期を実行する場合には、同期のための信号を検出するのに必要な時間が存在する可能性がある。したがって、ｅＳＳがなくても、例えばＷＵＳとＰＯにおけるページング表示（ＭＰＤＣＣＨ送信）との間のタイミング構成に対する持続時間および制限を決定する必要がある。このタイミング構成は、例えば、システム情報の一部としてＵＥに通知される必要がある。
【００３５】
Ｃｏｎｇｉｇ．１およびＣｏｎｆｉｇ．２の２つの構成に応じて、遷移時間Ｔｔｒは異なることがあり得る。
【００３６】
Ｃｏｎｆｉｇ．１において、Ｔｔｒはｓｕｍ（Ｔｇａｐ１＋Ｔｇａｐ２）を含み得るものであり、ここでのＴｇａｐ１およびＴｇａｐ２は、ＵＥが１つの動作状態から別の動作状態に変化するために必要な最小値である。
【００３７】
Ｃｏｎｆｉｇ．２において、Ｔｔｒは、ｓｕｍ（Ｔｇａｐ１＿ＬＰ＋Ｔｇａｐ３＿ＬＰ）を含み得る。タイムギャップＴｇａｐ１＿ＬＰおよびＴｇａｐ３＿ＬＰは、同じ値に設定され得る。タイムギャップＴｇａｐ１＿ＬＰは、Ｔｇａｐ１と比較して、ＵＥが新無線、すなわちメイン受信器をオンにする必要があるので、より高い値に設定する必要がある。
【００３８】
さらに、Ｔｔｒは、無線受信機の状態を「オフ」から「オン」に変更する時間だけでなく、微周波数同期、チャネル推定、ＭＰＤＣＣＨ受信前のドップラー推定（この文脈でのページング表示）などに必要な時間も考慮した値を表し得る。一実施形態において、Ｔｔｒは、指定されたパラメータに基づいて、および設定（設定１または２）に基づいて、ｅＮＢによって決定され得る。別の実施形態では、Ｔｔｒは、３ＧＰＰ仕様によって事前に決定され得る。
【００３９】
ネットワークが適切なタイムアドバンスＴａｄｖを構成するために、ネットワークには、Ｃｏｎｆｉｇ．１または２に関して、ＵＥ実装のタイプを知るという利点があるであろう。何故なら、このような構成に応じて異なる時間ギャップが必要になるからである。これは、例えば、ＵＥがその能力を、例えば特定のＵＥ機能として、または他のＲＲＣシグナリングを介して当該ネットワークに示した場合に実現することができる。ＰＯ、ＷＵＳ時点、およびｅＳＳ送信の構成が、ＷＵＳ構成およびその後のｅＳＳ送信との間に十分な時間があるとみなされるようなものでなければ、ネットワークは当該端末に対して、そのＣｏｎｆｉｇ．２が動作していないことを通知し得る。あるいは、アクセスノードは、Ｃｏｎｆｉｇ．１とＣｏｎｆｉｇ２の両方が当該セルにおいて動作するように、その構成を更新し得る。
【００４０】
図４Ａおよび４Ｂは、Ｃｏｎｆｉｇ．１の下で動作する端末のＤＲＸアイドルモードでの動作を概略的に示しており、ＭＰＤＣＣＨページング時点ＰＯは、端末のアクセスノードによって決定される。この図は、タイムアドバンス持続時間Ｔａｄｖと、ＤＲＸ周期を示している。さらに、ｅＳＳ送信の時点は、ＤＲＸ周期に関連付けられた送信周期を有する最も狭いボックスとして示されるが、ＷＵＳ時点は、各ＰＯに関連して示される。決定されたｍａｘｌｅｎｇｔｈ（ＴｅＳＳ）、ＷＵＳ持続時間、および場合によっては追加の遷移時間を考えると、タイムアドバンス持続期間には３つのｅＳＳ送信が含まれ、これらは適切なｅＳＳ検出がＷＵＳをデコード化できるようにするために必要とみなされる。
【００４１】
図４Ａの例では、ｅＳＳ送信周期は、係数２、または分数１／２でＤＲＸ周期に関連付けられている。すなわち、ｅＳＳ周期はＤＲＸ周期の１／２倍である。タイムアドバンスＴａｄｖはＤＲＸ周期よりも大きいので、信号が受信されたら、ＷＵＳを安全にデコードできるようにするために、端末はやはり、すべてのｅＳＳ信号を受信するように受信機をアクティブ化することを必要とされる可能性がある。
【００４２】
図４Ｂの例では、ｅＳＳ送信周期は、係数４、または分数１／４でＤＲＸ周期に関連付けられている。すなわち、ｅＳＳ周期はＤＲＸ周期の１／４倍である。３つのｅＳＳ信号のみが必要とみなされ、タイムアドバンス持続時間Ｔａｄｖを有する期間をカバーするので、端末は、信号が受信されたら、やはりＷＵＳをデコードするために、ＷＵＳとＰＯの間で発生するｅＳＳ信号を受信するために受信機をアクティブにする必要はない。さらに短いｅＳＳ送信周期については、端末がこれら送信の多くを無視する可能性がある。ある時点において、ＴａｄｖはＷＵＳおよびＴｔｒの持続時間によって制限され、ｅＳＳ周期をさらに短縮しても、端末の消費電力には何のメリットもない。
【００４３】
アクセスノードから信号を受信する端末が、本明細書で提案される解決策に従ってその受信機の起動を適切に設定するために、ネットワークは、端末受信のためのシステム情報を送信するように構成されてもよく、そのシステム情報は、前記タイムアドバンス持続時間を識別する。当該端末は、例えばＳＩＢで構成される。このシステム情報は、さまざまな方法のうちの１つで提供されてもよく、その幾つかの例は本明細書で提供される。一実施形態では、Ｔａｄｖ、またはＴａｄｖを識別するコードを具体的に提供され得る。Ｔａｄｖは、特定の時点、例えばＰＯに関連付けられた開始時点または別の時点より前に適用される持続時間として提供され、または識別される場合がある。あるいは、Ｔａｄｖは、そこから当該端末がその受信機を起動できる時間スロットまたは時点として提供され得る。
【００４４】
他の実施形態では、ｍａｘｌｅｎｇｔｈ（ＴｅＳＳ）、またはこの持続時間を識別するコードが具体的に提供され得る。さらに別の実施形態において、アクセスノードは、ｅＳＳを検出するために受信する幾つかのｅＳＳ信号の表示およびｅＳＳの周期性、例えば送信周期は、ＳＩＢで構成することもでき、その他の方法、例えばＲＲＣにおいて通知することもできる。これらの例の任意の組み合わせもまた可能である。前述のように、ＷＵＳ持続時間もＳＩＢで構成されることが好ましく、Ｔｔｒは、仕様によって事前に決定でき、したがって、端末において事前に構成された値、またはＳＩＢでも構成できる。この情報を用いて、当該端末は、計算またはテーブルへのマッピングによりＴａｄｖを決定するように構成できる。
【００４５】
図５は、本明細書に提示したような無線通信システムで使用するための端末１を概略的に示している。端末１は、３ＧＰＰのｅＭＴＣまたはＮｂ−ＩｏＴに関連付けられた仕様の下で動作する端末のような、マシンツーマシンタイプの装置として構成され得る。当該端末が、少なくとも１つのアンテナ、電源、ケーシングのような図面に示されたもの、または本明細書に記載されたもの以外の特徴および要素を含み得ることが明らかである。
【００４６】
端末１は、例えば、無線アクセスネットワークＲＡＮのアクセスノード１０と通信するように構成され得るものであり、少なくとも、エアインターフェースを介してネットワークノード１０と通信するための、無線受信機および送信機のようなトランシーバ２を具備する。さまざまな実施形態において、端末１は、ＷＵＳ検出のための低電力受信機として動作するように構成された追加の受信機２Ａを含み得る。端末１は、コンピュータプログラムコードを保持する不揮発性メモリ等のデータメモリ４と、マイクロプロセッサ等の処理装置５とを含む制御ユニット３をさらに具備する。これにより、処理装置５は、メモリ４からのコンピュータプログラムコードを実行するように構成され、制御ユニット３は端末１を制御して、本明細書で提供される方法ステップの何れかを実行するように構成される。
【００４７】
一実施形態において、前記端末は、無線ネットワークのアクセスノードからの信号を検出するためにアイドルモードで動作するように構成され得るものであり、
アクセスノードから構成を受信し、不連続受信ＤＲＸ周期に関連付けられたページング時点およびウェイクアップ信号時点を識別することと、
前記アクセスノードから情報を受信し、タイムアドバンス持続時間を識別することと、
各ページング時点に先立って、前記タイムアドバンス持続時間の期間に亘って、前記端末における無線信号受信機を起動することと、を含む。
【００４８】
さまざまな実施形態において、前記端末は、ウェイクアップ信号が検出されない場合、前記タイムアドバンス持続時間の期間内には前記無線信号受信機を選択的に起動し、前記タイムアドバンス期間の期間外には前記無線受信機を選択的に起動解除するように構成され得る。
【００４９】
さまざまな実施形態において、前記端末は、前記タイムアドバンス持続時間の期間内において同期信号を選択的に検出し、前記タイムアドバンス持続時間の期間外では同期信号を無視するように構成され得る。
【００５０】
前記タイムアドバンス持続時間中にウェイクアップ信号が検出された場合、前記端末は、前記タイムアドバンス持続時間に続くページング時点において、ページングメッセージを検出するように構成され得る。
【００５１】
前述のように、同期信号、ウェイクアップ信号、およびページング信号の検出は、Ｃｏｎｆｉｇ．１ではメイン受信器によって実行され得るのに対して、Ｃｏｎｆｉｇ２では、少なくとも前記ウェイクアップ信号は補助受信機によって受信され得る。
【００５２】
端末１の処理装置５は、１つまたは複数のプロセッサ、マイクロプロセッサ、データプロセッサ、コプロセッサ、および／または、命令および／またはデータを解釈および／または実行する他のタイプのコンポーネントを含み得る。処理装置５は、ハードウェア（例えば、マイクロプロセッサなど）として、またはハードウェアおよびソフトウェアの組み合わせ（例えば、システムオンチップ（System-On-Chip：ＳＯＣ）、特定用途向け集積回路（Application-Specific  Integrated  Circuit：ＡＳＩＣ）など）として実装され得る。処理装置５は、オペレーティングシステムおよび／またはさまざまなアプリケーションまたはプログラムに基づいて、１つまたは複数の操作を実行するように構成され得る。
【００５３】
データメモリ４は、１つまたは複数のメモリおよび／または１つまたは複数の他のタイプの記憶媒体を含み得る。例えば、データメモリ４は、ランダムアクセスメモリ（Random  Access  Memory：ＲＡＭ）、ダイナミックランダムアクセスメモリ（Dynamic  Random  Access  Memory：ＤＲＡＭ）、キャッシュ、読み取り専用メモリ（Read  Only  Memory：ROM）、プログラム可能な読み取り専用メモリ（Programmable  Read  Only  Memory：ＰＲＯＭ）、フラッシュメモリ、および／または他のタイプのメモリを含み得る。データメモリ４は、ハードディスク（例えば、磁気ディスク、光ディスク、磁気光学ディスク、ソリッドステートディスク等）を含み得る。
【００５４】
前記コンピュータプログラムコードによって定義されるソフトウェアは、機能および／またはプロセスを提供するアプリケーションまたはプログラムを含み得る。ソフトウェアは、装置ファームウェア、オペレーティングシステム（Operating  System：ＯＳ）、または制御ユニット３で実行され得るさまざまなアプリケーションを含み得る。
【００５５】
図６は、本明細書に提示される無線通信システムで使用するための、３ＧＰＰ下の無線ネットワークなどの無線ネットワークのアクセスノード１０を概略的に示す。したがって、アクセスノード１０は、無線アクセスネットワークＲＡＮの一部を形成し、好ましくは、コアネットワークへのインターフェース１３を有する。アクセスノード１０は、例えば、無線による端末通信のために少なくとも無線インターフェース１７を備える。当該アクセスノードは、コンピュータプログラムコードを保持する不揮発性メモリ等のデータメモリ１５、および処理装置１６、例えばコンピュータプログラムコードを実行するように構成された１つまたは複数のマイクロプロセッサをさらに含む。これにより、制御ユニット１４はネットワークノード１０を制御して、本明細書で概説するステップのすべてを実行するように構成される。具体的に言えば、前記アクセスノードは、そのカバレッジエリア内における端末のＤＲＸ周期性に従って、ＤＲＸ周期性およびページング時点を決定するように構成され得る。アクセスノード１０は、前記ページング時点に関連付けられたＷＵＳ時点をさらに決定し、端末のページング時点においてＷＵＳまたは制御チャネルを検出するために使用可能な同期信号ｅＳＳを送信するように構成することができ、この同期信号は、前記ＤＲＸ周期に関連付けられた送信周期で反復送信される。
【００５６】
処理装置１６およびデータメモリ１５は、例えば、処理装置５およびデータメモリ４についてそれぞれ概説した特徴に従って構成され得る。
【００５７】
特許請求の範囲の用語の範囲内にある方法および装置を実現するさまざまな方法を説明するために、例として、さまざまな実施形態を本明細書において開示してきた。したがって、示唆されたソリューションは、ｅＳＳのような同期信号送信およびページング送信のタイミング関係を制御する方法を提供し、ｅＳＳ送信の間の期間はＤＲＸ間隔または期間の関数である。このようにして、サポートされたｅＳＳ周期性およびＤＲＸ間隔のマッピングが導入される。さらに、持続時間ウィンドウＴａｄｖが提供され、ｅＳＳ、ＷＵＳ、およびＭＰＤＣＣＨページング送信の間に、それぞれタイムギャップを形成することが可能になる。特に断りのない限り、記載された実施形態、またはそれら実施形態に関連する特徴は、組み合わせることができる。
【図１Ａ】
2021524177.tif 000004
【図１Ｂ】
2021524177.tif 000005
【図２】
2021524177.tif 000006
【図３Ａ】
2021524177.tif 000007
【図３Ｂ】
2021524177.tif 000008
【図４Ａ】
2021524177.tif 000009
【図４Ｂ】
2021524177.tif 000010
【図５】
2021524177.tif 000011
【図６】
2021524177.tif 000012
【国際調査報告】
2021524177.tif 000013
2021524177.tif 000014
2021524177.tif 000015